(57)【要約】【課題】本発明は、燃料電池コージェネレーションシステムに関するもので、小型化を図ることを目的とするものである。【解決手段】そして、この目的を達成するために本発明は、筐体１と、この筐体１内部を、少なくとも大室２、小室３に実質的に仕切った仕切壁４と、この仕切壁４によって仕切られた前記大室２に配置された燃料電池５と、前記仕切壁４によって仕切られた前記小室３に配置されたインバータ６とを備え、前記大室２に排気ファン７を配置するとともに、前記仕切壁４のインバータ６よりも上に小室３用の排気口８を設け、前記小室３のインバータ６よりも下の筐体壁、または仕切壁に小室３用の吸気口９を設けたものである。【選択図】図１
2009043526.tif 000002
【特許請求の範囲】
【請求項１】
筐体と、この筐体内部を、少なくとも大室と小室の2室に実質的に仕切った仕切壁と、この仕切壁によって仕切られた前記大室に配置された燃料電池と、前記仕切壁によって仕切られた前記小室に配置されたインバータとを備え、前記大室に排気ファンを配置するとともに、前記仕切壁のインバータよりも上に小室用の排気口を設け、前記小室のインバータよりも下の筐体壁、または仕切壁に小室用の吸気口を設けた燃料電池コージェネレーションシステム。
【請求項２】
小室用の排気口は、仕切壁に開口させて構成した請求項１に記載の燃料電池コージェネレーションシステム。
【請求項３】
小室用の排気口は、仕切壁の上端と筐体の下面との間に間隙を設けて構成した請求項１に記載の燃料電池コージェネレーションシステム。
【請求項４】
小室用の排気口の開口中心は、排気ファンの中心部よりも高所の仕切壁部分に設けた請求項１から３のいずれか一つに記載の燃料電池コージェネレーションシステム。
【発明の詳細な説明】
【技術分野】
【０００１】
本発明は燃料電池コージェネレーションシステムに関するものである。
【背景技術】
【０００２】
燃料電池コージェネレーションシステムは、燃料電池と、この燃料電池で発生させた直流電圧を交流電圧に変換するインバータ等を筐体内に配置した構成となっている。
また、燃料電池の冷却は、水冷により行っているものもある。（例えば下記特許文献１に記載されている）
【特許文献１】特開２０００−２９４２６４号公報
【発明の開示】
【発明が解決しようとする課題】
【０００３】
上記従来例において、燃料電池は水冷により十分冷却されることとなるが、上記インバータには大電流が流れるので、これも高温化することとなり、冷却の必要性がある。
【０００４】
よって、インバータにも水冷構造を取り入れることが考えられるが、水冷構造は、水漏れ対策の必要性から、構造が複雑で、その分大型化してしまう課題が発生する。
【０００５】
そこで本発明は、小型化を図ることを目的とするものである。
【課題を解決するための手段】
【０００６】
この目的を達成するために本発明は、筐体と、この筐体内部を、少なくとも大小の２室に実質的に仕切った仕切壁と、この仕切壁によって仕切られた前記大室に配置された燃料電池と、前記仕切壁によって仕切られた前記小室に配置されたインバータとを備え、前記大室に排気ファンを配置するとともに、前記仕切壁のインバータよりも上に小室用の排気口を設け、前記小室のインバータよりも下の筐体壁、または仕切壁に小室用の吸気口を設けたものであり、これによって所期の目的を達成するものである。
【発明の効果】
【０００７】
以上のごとく本発明は、筐体と、この筐体内部を、少なくとも大小の２室に実質的に仕切った仕切壁と、この仕切壁によって仕切られた前記大室に配置された燃料電池と、前記仕切壁によって仕切られた前記小室に配置されたインバータとを備え、前記大室に排気ファンを配置するとともに、前記仕切壁のインバータよりも上に小室用の排気口を設け、前記小室のインバータよりも下の筐体壁、または仕切壁に小室用の吸気口を設けたものであり、大室の排気ファンを駆動すれば、大室に配置された燃料電池が空冷されることとなる。またこの排気ファンの駆動により、小室には、吸気口から排気口に向かう冷却風が発生し、これによってインバータも空冷されることとなる。
【０００８】
そしてこのように前記大室の燃料電池と、前記小室のインバータが一つの排気ファンによって空冷されることとなるので、構造が簡単で、小型化することが出来るものとなる。
【発明を実施するための最良の形態】
【０００９】
以下本発明の実施の形態について、図面を参照しながら説明する。
【００１０】
（実施の形態１）
図１、２は、本発明の実施の形態１における燃料電池コージェネレーションシステムの構成図である。
図１、２に示すごとく本実施形態では、長方形体の筐体１と、この筐体１内部を、少なくとも大室２、小室３の２室に実質的に仕切った仕切壁４と、この仕切壁４によって仕切られた前記大室２に配置された燃料電池５と、前記仕切壁４によって仕切られた前記小室３に配置されたインバータ６とを備えている。
【００１１】
また、前記大室２の上部には、排気ファン７を配置するとともに、前記仕切壁４のインバータ６よりも上に小室３用の排気口８を設け、さらに前記小室３のインバータ６よりも下の筐体壁（または仕切壁４）に小室３用の吸気口９を設けている。
【００１２】
このため、大室２の排気ファン７を駆動すれば、大室２下方の吸気口（図示せず）から吸気された冷却風で燃料電池５が空冷され、その後、空冷後の暖気は排気ファン７を介して筐体１外に排出されることとなる。
【００１３】
また、上記排気ファン７の駆動により、吸気口９から排気口８へと向かう冷却風も発生し、この冷却風により、インバータ６の空冷が効果的に行われることとなり、その後、この空冷後の暖気も排気ファン７を介して筐体１外に排出されることとなる。
【００１４】
ここで、前記仕切壁４によって仕切られた前記小室３にインバータ６を配置した理由は、この小室３内を流れる冷却風がインバータ６の外周に触れやすくするためで、これによって、インバータ６の冷却効果は極めて高くなる。
【００１５】
また、前記仕切壁４のインバータ６よりも上に小室３用の排気口８を設け、さらに前記小室３のインバータ６よりも下の筐体壁（または仕切壁４）に小室３用の吸気口９を設けたのは、小室３による煙突効果を利用するためで、この結果としてインバータ６の冷却効果は極めて高くなる。
【００１６】
また、この小室３には、燃料電池５やインバータ６の動作制御をするための制御基板１０が配置されており、これにより制御基板１０も吸気口９から排気口８へと向かう冷却風によって冷却されることとなる。
【００１７】
また、本実施形態において、小室３用の排気口８の開口中心は、排気ファン７の中心部よりも高所の仕切壁４部分に設けているが、その理由は大室２内の暖気が進入しないようにするためである。
【００１８】
なお、排気ファン７部分には、雨水が筐体１内に入らないようにするためと、防音の役目も兼ねるフード１１を設けている。
【００１９】
（実施の形態２）
図３、４は、本発明の実施の形態２の燃料電池コージェネレーションシステムの構成図である。図３、４において、図１、２と同じ構成要素については同じ符号を用い、説明を簡略化する。
【００２０】
図３、４においては、インバータ６を仕切壁４の排気口８近傍にまで上昇配置したものである。つまり、このような構成にすれば、インバータ６を小室３内における冷却風流路の最も下流に配置することになるので、インバータ６による他部品（例えば制御基板１０）への悪影響を小さくすることが出来る。
なお、上記実施の形態１、２において排気口８は仕切壁４に開口させて構成したが、この小室３用の排気口８は、仕切壁４の上端と筐体１の下面との間に間隙を設けて構成し手も良い。
【産業上の利用可能性】
【００２１】
本発明の燃料電池コージェネレーションシステムは、小型化できるので、家庭用としても簡単に設置することが出来るようにもなり、極めて有用なものである。
【図面の簡単な説明】
【００２２】
【図１】本発明の実施の形態１における燃料電池コージェネレーションシステムの一部切欠背面図
【図２】本発明の実施の形態１における燃料電池コージェネレーションシステムの側面図
【図３】本発明の実施の形態２における燃料電池コージェネレーションシステムの一部切欠背面図
【図４】本発明の実施の形態２における燃料電池コージェネレーションシステムの側面図
【符号の説明】
【００２３】
１    筐体
２    大室
３    小室
４    仕切壁
５    燃料電池
６    インバータ
【図１】
2009043526.tif 000003
【図２】
2009043526.tif 000004
【図３】
2009043526.tif 000005
【図４】
2009043526.tif 000006